(57)【要約】【課題】３つ折りの状態で折り畳まれた後処理テープにおいて、おむつ廃棄のために前記後処理テープを伸展した際に、前記中間部の粘着剤層が手や他の箇所にくっつく煩わしさを解消する。【解決手段】後処理テープ５は、おむつ外面に対して固定される固定部６と、一方側面に粘着剤層を有する止着部８と、これら固定部６と止着部８とを繋ぐ中間部７とからなる細帯状のテープファスナーとされ、その長手方向をおむつの上下方向に配向した状態で前記固定部６がおむつ外面に固定され、未使用状態では前記固定部６、止着部８、中間部７が互いに重なるように３つ折り状態に折り畳まれるとともに、前記止着部８の粘着剤層１３が中間部７に対して剥離可能に接着されるとともに、前記中間部７が固定部６に対して自己接着性粘着剤層１１、１２により剥離可能に接着されている構造とする。【選択図】  図２
2004298459.tif 000002
【特許請求の範囲】
【請求項１】
前身頃と後身頃との両側縁部を接合し、胴開口部および左右一対の脚開口部を有するとともに、廃棄用の後処理テープを備えた使い捨ておむつにおいて、
前記後処理テープは、おむつ外面に対して固定される固定部と、一方側面に粘着剤層を有する止着部と、これら固定部と止着部とを繋ぐ中間部とからなる細帯状のテープファスナーとされ、未使用状態では前記固定部を除く止着部および中間部が複数折り状態で折り畳まれるとともに、前記止着部の粘着剤層が下段側の層に剥離可能に接着されるとともに、その他の折り重ね部分がそれぞれ自己接着性粘着剤層により剥離可能に接着されていることを特徴とする後処理テープを備えた使い捨ておむつ。
【請求項２】
前身頃と後身頃との両側縁部を接合し、胴開口部および左右一対の脚開口部を有するとともに、廃棄用の後処理テープを備えた使い捨ておむつにおいて、
前記後処理テープは、おむつ外面に対して固定される固定部と、一方側面に粘着剤層を有する止着部と、これら固定部と止着部とを繋ぐ中間部とからなる細帯状のテープファスナーとされ、未使用状態では前記固定部、止着部、中間部が互いに重なるように３つ折り状態で折り畳まれるとともに、前記止着部の粘着剤層が中間部に対して剥離可能に接着されるとともに、前記中間部が固定部に対して自己接着性粘着剤層により剥離可能に接着されていることを特徴とする後処理テープを備えた使い捨ておむつ。
【請求項３】
前記後処理テープは使い捨ておむつの前記後身頃および前身頃の一方側に固定されている請求項１，２いずれかに記載の後処理テープを備えた使い捨ておむつ。
【請求項４】
前記後処理テープはその長手方向をおむつの上下方向に配向した状態で前記固定部がおむつ外面に固定されている請求項１〜３いずれかに記載の使い捨ておむつ。
【請求項５】
前記後処理テープは、前記固定部、止着部、中間部が継ぎ目を有することなく連続した１枚のテープで構成されている請求項１〜４いずれかに記載の後処理テープを備えた使い捨ておむつ。
【請求項６】
前記後処理テープは、前記固定部、止着部、中間部を構成する各分割片を繋ぎ合わせた接合テープで構成されている請求項１〜４いずれかに記載の後処理テープを備えた使い捨ておむつ。
【発明の詳細な説明】
【０００１】
【発明の属する技術分野】
本発明は、後身頃および前身頃の一方側に廃棄用の後処理テープを備えた使い捨ておむつに関する。
【０００２】
【従来の技術】
近年、幼児用や老人用に使用される紙おむつは使い捨てのものが主流となっているが、この種の紙おむつの内、パンツ型のものについては、廃棄時に処理を容易とするために、後身頃にいわゆる後処理テープが折り畳まれた状態で備えられている（図１参照）。
【０００３】
この後処理テープは、廃棄時に紙おむつを小さく丸めた後に伸展し、自由端部の先端に設けられた止着部を胴開口部を越えた任意箇所に止着することにより、紙おむつを丸めた状態が解除されないようにするものである（図３参照）。前記後処理テープの構造としては、例えば下記特許文献１に示されるものを代表例として挙げることができる。同文献に示される後処理テープ４０は、図７に示されるように、細帯状のテープファスナーとされ、固定用粘着剤層４３を有しおむつの外面に固定される固定部４０Ａ、粘着剤層４１を有する止着部４０Ｂ、これらを繋ぐ中間部４０Ｃからなり、未使用状態時にはこれら固定部４０Ａ、止着部４０Ｂ及び中間部４０Ｃが重なるように３つ折り状態で折り畳まれるとともに、前記止着部４０Ｂの粘着剤層４１が中間部４０Ｃに剥離可能に接着され、かつ中間部４０Ｃの固定部４０Ａ側の面に形成された粘着剤層４２を固定部４０Ａの外面に剥離可能に接着するようにしている。
【０００４】
【特許文献１】
特開２００１−２５８９３８号公報
【０００５】
【発明が解決しようとする課題】
しかしながら、止着部４０Ｂに形成された粘着剤層４１はおむつの廃棄状態（丸めた状態）を固定するために必須の粘着剤層であるが、前記中間部４０Ｃに形成された粘着剤層４２は廃棄状態を固定するためではなく、単に折畳み状態を維持するためにだけに必要とされる粘着剤層であり、かつこの粘着剤層は後処理テープ４０を伸展した際に、粘着剤層４２が手や他のおむつ部分に接着するなどして作業をしづらくしている問題があった。
【０００６】
そこで本発明の主たる課題は、３つ折り状態等で折り畳まれた後処理テープにおいて、おむつ廃棄のために前記後処理テープを伸展した際に、前記中間部の粘着剤層が手や他の箇所にくっつく煩わしさを解消した後処理テープを備えた使い捨ておむつを提供することにある。
【０００７】
【課題を解決するための手段】
前記課題を解決するための請求項１に係る本発明として、前身頃と後身頃との両側縁部を接合し、胴開口部および左右一対の脚開口部を有するとともに、廃棄用の後処理テープを備えた使い捨ておむつにおいて、
前記後処理テープは、おむつ外面に対して固定される固定部と、一方側面に粘着剤層を有する止着部と、これら固定部と止着部とを繋ぐ中間部とからなる細帯状のテープファスナーとされ、未使用状態では前記固定部を除く止着部および中間部が複数折り状態で折り畳まれるとともに、前記止着部の粘着剤層が下段側の層に剥離可能に接着されるとともに、その他の折り重ね部分がそれぞれ自己接着性粘着剤層により剥離可能に接着されていることを特徴とする後処理テープを備えた使い捨ておむつが提供される。
【０００８】
請求項２に係る本発明として、前身頃と後身頃との両側縁部を接合し、胴開口部および左右一対の脚開口部を有するとともに、廃棄用の後処理テープを備えた使い捨ておむつにおいて、
前記後処理テープは、おむつ外面に対して固定される固定部と、一方側面に粘着剤層を有する止着部と、これら固定部と止着部とを繋ぐ中間部とからなる細帯状のテープファスナーとされ、未使用状態では前記固定部、止着部、中間部が互いに重なるように３つ折り状態で折り畳まれるとともに、前記止着部の粘着剤層が中間部に対して剥離可能に接着されるとともに、前記中間部が固定部に対して自己接着性粘着剤層により剥離可能に接着されていることを特徴とする後処理テープを備えた使い捨ておむつが提供される。
【０００９】
上記請求項１、２記載の本発明においては、止着部に形成される粘着剤層を除いて、未使用状態時に後処理テープの折畳み状態を保持するための接着剤として自己接着性粘着剤を用いるようにした。従って、伸展時に前記中間部に手が触れても接着性を示すことが無いとともに、中間部が他のおむつ部分に触れても接着することがないため作業性が著しく向上するようになる。
【００１０】
請求項３に係る本発明として、前記後処理テープは使い捨ておむつの前記後身頃および前身頃の一方側に固定されている請求項１，２いずれかに記載の後処理テープを備えた使い捨ておむつが提供される。
【００１１】
請求項４に係る本発明として、前記後処理テープはその長手方向をおむつの上下方向に配向した状態で前記固定部がおむつ外面に固定されている請求項１〜３いずれかに記載の使い捨ておむつが提供される。
【００１２】
請求項５に係る本発明として、前記後処理テープは、前記固定部、止着部、中間部が継ぎ目を有することなく連続した１枚のテープで構成されている請求項１〜４いずれかに記載の後処理テープを備えた使い捨ておむつが提供される。
【００１３】
請求項６に係る本発明として、前記後処理テープは、前記固定部、止着部、中間部を構成する各分割片を繋ぎ合わせた接合テープで構成されている請求項１〜４いずれかに記載の後処理テープを備えた使い捨ておむつが提供される。
【００１４】
【発明の実施の形態】
以下、本発明の実施の形態について図面を参照しながら詳述する。
図１は本発明に係る使い捨ておむつを背面側から視た斜視図であり、図２は後処理テープ５の構造を示す図である。
【００１５】
先ず、使い捨ておむつは、図１等に示されるように、不織布などからなる着用者の肌に面する透液性トップシート２と、ポリエチレンなどからなる不透液性バックシート１との間に綿状パルプを主体とし必要により吸収紙などを設けた半剛性の吸収体３が内包され、展開状態で両側縁部に脚開口形成用凹部４ａ，４ａが夫々形成された、すなわち結果的には略砂時計状に形成されたものが長手方向中間を折線部として前後方向に折り畳まれ、折り畳まれた前身頃と後身頃の両側縁が互いにシール溶着または超音波溶着等により接合されることにより上部側に胴開口部４Ｂを有するとともに、両側に左右一対の脚開口部４Ａ，４Ａを有するパンツタイプのおむつとして製造される。
【００１６】
なお、使い捨ておむつの外面は、必ずしも不透液性バックシートとは限らず、前記不透液性バックシート１の外側に、内面用バックシート不織布と外面用バックシート不織布とからなる本体バックシートを一体的に設けることによって外面側を不織布とすることもできる。なお、この紙おむつ構成は、たとえば特願平１１−２６８５５７号などに記載されているものである。いずれにしても、展開状態で略砂時計状に作製された紙おむつが長手方向中央部を境に前後方向に二つ折りとされ、その両側部にて脚部開口を形成した状態で互いにシール溶着または超音波溶着等の溶着方法にて接合され、パンツ型に成形される。
【００１７】
かかるパンツ型使い捨て紙おむつにおいては、図１に示されるように、後身頃に廃棄用の後処理テープ５が設けられている。
【００１８】
前記後処理テープ５は、詳細には図２に示されるように、使い捨ておむつの後身頃に剥離不能に接着される固定部６と、内面側に粘着剤層１３を有する止着部８と、これら固定部６と止着部８とを繋ぐ中間部７とからなる細帯状のテープファスナーとされ、図示例では前記固定部６、止着部８、中間部７が継ぎ目を有することなく連続した１枚のテープで構成されている。なお、前記止着部８の先端部に摘み片９が接着剤１４により固定され摘み部が形成されているが、先端部を２重に折り返すことにより摘み部を形成するようにしてもよい。
【００１９】
前記後処理テープ５は図１に示されるように、その長手方向をおむつの上下方向に配向させた状態で前記固定部６がおむつ当接面側に塗布された固定用接着剤層１０により剥離不能に固定され、未使用状態（収納状態）では、図２（Ａ）に示されるように、前記固定部６、止着部８、中間部７が互いに重なるように３つ折り状態で折り畳まれている。すなわち、前記固定部６と中間部７との境界部で折り返されるとともに、中間部７と止着部８との境界部で折り返されるように３つ折り状態で折り畳まれ、前記止着部８の粘着剤層１３が中間部７に対して剥離可能に接着されるとともに、前記中間部７と固定部６との当接面に夫々形成された自己接着性粘着剤層１１，１２により前記中間部７が固定部６に対して剥離可能に接着されている。なお、前記止着部８の粘着剤層１３が接着される中間部７の外面にはシリコン等により離型処理を施しておくことが望ましい。
【００２０】
前記自己接着性粘着剤とは、粘着剤同士では接着性を示すが他の物質とは粘着性を示さない粘着剤を言い、天然ゴム、ブチルゴム、ポリイソプレンゴム、アクリル系、ポリウレタン系、ポリエステル系等各種のものを挙げることができ、入手は容易である。この自己接着性粘着剤によれば、未使用状態において前記中間部７を固定部６に接着させておくことを可能としながら、伸展時には前記中間部７に手で触れても接着性を示すことが無いとともに、中間部７が他のおむつ部分に触れても接着することがないため作業性が著しく向上するようになる。なお、自己接着性粘着剤の塗布領域は、図２に示されるように、中間部７と固定部６との当接面のほぼ全面とすることでもよいが、図４に示されるように、部分的に設けるようにしても良い。この場合には端部側がめくり上がらないように外側寄りに設けることが望ましい。
【００２１】
前記固定部６、中間部７および止着部８のテープ基材としては、フィルム、紙、不織布、またはこれらの積層体等十分な引張り強度を有し、かつ可撓性を有する材料であれば種々のものを使用することができる。フィルム、不織布の原材料としては、ポリプロピレン、ポリエチレン、ポリスチレン等のポリオレフィン系樹脂、ポリエチレンテレフタレート、ポリブチレンテレフタレート等のポリエステル系樹脂、ポリアミド系樹脂、ポリウレタン系樹脂などを用いることができる。また、前記摘み片９については、使用者が摘み部であることが一目で分かるように着色シートを用いたり、肌への当たりを和らげるために角を落としたりすることができる。
【００２２】
一方、前記止着部８に形成される粘着剤層１３の粘着剤については、ゴム系粘着剤、アクリル系粘着剤等従来のテープ型紙おむつのファスニングテープにおいて使用されている粘着剤等と同等のものを使用することができる。
【００２３】
使用済みの紙おむつを廃棄する場合には、装着状態から両側縁部の溶着部を引き裂いて身体から取り外した後、図３（Ａ）に示されるように、紙おむつを二つ折りにした状態で股間側から丸め、前記後処理テープ５の摘み片９を摘んで折り畳み状態から直線状態に伸展し、そのまま丸めた紙おむつを周回させるように後処理テープ５を巻回させたならば、図３（Ｂ）に示されるように、止着部８の粘着層１３をおむつ外面に止着し丸めた状態を固定する。
【００２４】
ところで、本発明の利点として前述した作業性以外に、製造ラインにおける効率性の点を挙げることができる。例えば、図７に示される従来の後処理テープ４０の場合には、テープの表裏面の両側にそれぞれ粘着剤層が形成されることになり、インラインで後処理テープに粘着剤を塗布しようとすると反転ロール等に粘着剤が転着するため製造上の不具合を生じることになる。これに対して、本発明の場合には、粘着剤が一方の面側にのみ形成されることになり、他方の面側には反転ロールに対して接着性を示さない自己接着性接着剤となる。従って、反転ロールに対する粘着剤の転着が無いため製造上の不具合が回避できるようになり、インラインにて粘着剤及び自己接着性粘着剤の塗布が可能となる。
【００２５】
（その他の形態例）
（１）上記形態例では後処理テープ５を後身頃に設けたが、前身頃に設けることもできる。
【００２６】
（２）上記形態例では、固定部６、中間部７および止着部８を継ぎ目を有することなく連続した１枚のテープで構成するようにしたが、前記固定部６、止着部８、中間部７を構成する各分割片を繋ぎ合わせた接合テープで構成することも可能である。具体的には、図５に示されるように、おむつ当接面側に固定用接着剤層１０を有し、おむつの後身頃に剥離不能に接着されるとともに、反対面側に自己接着性粘着剤層１１を有する固定部６と、この固定部６の一方端側折返し部に連結されるとともに、固定部６への当接面側に自己接着性粘着剤層１２を有する中間部７と、この中間部７の先端側折返し部に連結されるとともに、中間部７への当接面側に剥離可能な粘着剤層１３を有する止着部８とからなる接合テープとすることも可能である。
【００２７】
（３）上記形態例では、前記固定部６、止着部８、中間部７が互いに重なるように３つ折り状態で折り畳まれた構造としたが、図６に示されるように、５つ折り又はそれ以上の折り数とすることも可能である。この場合には、前記止着部８の粘着剤層１３が下段側の層に剥離可能に接着されるとともに、その他の折り重ね部分がそれぞれ自己接着性粘着剤層１１，１２により剥離可能に接着されるようにすればよい。
【００２８】
【発明の効果】
以上詳説のとおり本発明によれば、３つ折り状態等で折り畳まれた後処理テープにおいて、おむつ廃棄のために前記後処理テープを伸展した際に、中間部の粘着剤層が手や他の箇所にくっつく煩わしさを解消することができる。
【図面の簡単な説明】
【図１】本発明に係るパンツ型使い捨て紙おむつを背面側から視た斜視図である。
【図２】本発明に係る後処理テープ５の構造を示す、（Ａ）は折り畳み状態図、（Ｂ）は伸展状態図である。
【図３】破棄要領を示す、（Ａ）は手順（その１）を示す斜視図、（Ｂ）は手順（その２）を示す側面図である。
【図４】自己接着性粘着剤の他の塗布パターン例を示す、（Ａ）は折り畳み状態図、（Ｂ）は伸展状態図である。
【図５】後処理テープ５の他例を示す折畳み状態図である。
【図６】後処理テープ５の他例を示す折畳み状態図である。
【図７】従来の後処理テープ４０を示す、（Ａ）は折畳み状態図、（Ｂ）は粘着剤層の形成態様を分かり易くした模式図である。
【符号の説明】
１…不透液性バックシート、２…透液性トップシート、３…吸収体、４Ａ…脚開口部、４Ｂ…胴開口部、５…後処理テープ、６…固定部、７…中間部、８…止着部、９…摘み片、１０…固定用接着剤層、１１・１２…自己接着性粘着剤層、１３…粘着剤層
【図１】
2004298459.tif 000003
【図２】
2004298459.tif 000004
【図３】
2004298459.tif 000005
【図４】
2004298459.tif 000006
【図５】
2004298459.tif 000007
【図６】
2004298459.tif 000008
【図７】
2004298459.tif 000009